(57)【要約】【課題】  宣伝ラベルを被着体に貼付することにより、被着体の周回方向からラベル印字情報を視認できるようにする。  【解決手段】  被着体に立体的に貼付する宣伝ラベルであって、印字可能な長尺領域からなる印字部１１と、上記印字部１１の相対する長手方向端部同士を接着するため、上記印字部１１の長手方向の一端１１ａに設けた糊塗布域を有する接着部１２と、被着体Ｍに貼付するため、上記印字部１１の長手方向側部に設けた糊塗布域を有する貼付部１３とを備えて宣伝ラベル１０を構成する。【選択図】    図１
2010072244.tif 000002
【特許請求の範囲】
【請求項１】
被着体に立体的に貼付する宣伝ラベルであって、
印字可能な長尺領域からなる印字部と、
上記印字部の相対する長手方向端部同士を接着するため、上記印字部の長手方向の一端に設けた糊塗布域を有する接着部と、
被着体に貼付するため、上記印字部の長手方向側部に設けた糊塗布域を有する貼付部とを備えた宣伝ラベル。
【請求項２】
前記印字部に、開いた形状を形成する半抜き加工を施したことを特徴とする請求項１記載の宣伝ラベル。
【請求項３】
印字可能な長尺領域からなる印字部と、上記印字部の相対する長手方向端部同士を接着するため、上記印字部の長手方向の一端に設けた糊塗布域を有する接着部と、被着体に貼付するため、上記印字部の一方の長手方向側部に設けた糊塗布域を有する貼付部とを備えた被着体に立体的に貼付する宣伝ラベルを形成する宣伝ラベルフォームにおいて、
上記宣伝ラベルの貼付部が無い長手方向側部を連接させて、ラベルピッチ当たり２パターンの宣伝ラベルを配置した宣伝ラベルフォーム。
【発明の詳細な説明】
【技術分野】
【０００１】
本発明は、宣伝ラベル及び宣伝ラベルフォームに関し、詳しくは３６０度何れの方向からも記載内容が識別可能な宣伝ラベル及び宣伝ラベルフォームに関する。
【背景技術】
【０００２】
一般に、商品の広告宣伝用に用いられる種々の形状の宣伝ラベルが用いられている。このような宣伝ラベルは、視覚的な宣伝効果を高めるために、被着体の輪郭から離間する様被着体に貼付されている。宣伝ラベルは、被着体への注目度を向上させる１手段である。
例えば、特許文献１に記載のシート状表示部（宣伝ラベルに対応）は、円柱形状の物品の周面に設けられた支持部に支持させて立体形状を呈し宣伝を行なう。支持部の位置に応じて、シート状表示部を物品の種々の位置に配置することができる。複数の支持部を周回域に設置することによっては、シート状表示部を円周状に配置することも可能になる。
【０００３】
【特許文献１】特開２００３−１５１０２０号公報
【発明の開示】
【発明が解決しようとする課題】
【０００４】
しかし、特許文献１に記載の発明は、シート状表示部を被着体に配置するために支持部を別途必要とし、シート状表示部の表示に手間を要する。
また、シート状表示部は、基本的に、表示方向が限定されるものである。そのため、物品の配置においては、支持されたシート状表示部の表示方向を常に意識しなければならず、配置処理効率が悪いという問題もある。
【０００５】
本発明は以上のような諸問題を解消すべくなされたもので、あらゆる方向から視認できる形状の宣伝ラベルを提供することが課題である。また、このような宣伝ラベルを形成する宣伝ラベルフォームを提供することが課題である。
【課題を解決するための手段】
【０００６】
すなわち本発明は、被着体に立体的に貼付する宣伝ラベルであって、印字可能な長尺領域からなる印字部と、上記印字部の相対する長手方向端部同士を接着するため、上記印字部の長手方向の一端に設けた糊塗布域を有する接着部と、被着体に貼付するため、上記印字部の長手方向側部に設けた糊塗布域を有する貼付部とを備えて宣伝ラベルを構成した。
印字部の長手方向端部を接着すれば、印字部を円周形状になる。その形状のまま、被着体の上面に貼付部を貼付することができる。また、被着体の外周長がラベルの円周長よりも小さい場合には、被着体を囲った状態に宣伝ラベルを貼付することができる。
また、複数の宣伝ラベルを長手方向に連結させ、円周長を長くすることもできる。
【０００７】
更に、印字部に、開いた形状を形成する半抜き加工を施した。
印字部を円周形状することにより、半抜きされた箇所が外周へ突出する。立体的なラベルに更に突出箇所を設けることにより、宣伝ラベルへの注目度を助長させることができる。
【０００８】
また、印字可能な長尺領域からなる印字部と、上記印字部の相対する長手方向端部同士を接着するため、上記印字部の長手方向の一端に設けた糊塗布域を有する接着部と、被着体に貼付するため、上記印字部の長手方向側部に設けた糊塗布域を有する貼付部とを備えた被着体に立体的に貼付する宣伝ラベルを形成する宣伝ラベルフォームにおいて、
単票当たりの宣伝ラベルフォームにおいて、上記宣伝ラベルの貼付部が無い長手方向側部を連接させて、ラベルピッチ当たり２パターンの宣伝ラベルを配置した宣伝ラベルフォームを提供する。ここで、ラベルピッチとは、ラベルを形成するために必要な領域を意味する。
宣伝ラベルを鏡像関係の形状にある２パターン形成する際、ラベルピッチ当たりのフォーム上に２パターンの宣伝ラベルを形成することができる。
【発明の効果】
【０００９】
以上のように本発明によれば、
ラベルを円周形状にして被着体に貼付することができ、３６０度あらゆる周回方向らラベルが視認可能になる。この場合、ラベルに所定間隔で宣伝文言を印字することにより、被着体周回に居る人は敢えて移動することなく宣伝文言を読取ることができる。
半抜き加工を施して、種々の形状を円周外に突出させることができ、宣伝ラベルに対する注目度を増幅させることができる。
また、複数の宣伝ラベルを連結することにより、形成する円周の周長を買えることができる。被着体を１つの宣伝ラベルで囲うことができない場合には、所望の数の宣伝ラベルを用いて被着体を囲うことが可能になる。
更に、被着体の上部に宣伝ラベルを貼付した場合には、貼付部の長さに応じて円周形状部分を揺動させることもできる。宣伝ラベルが動くことにより宣伝ラベルに対する注目度がより喚起されることになる。
更に、貼付部の形状を変えることにより、糊塗布領域を変えることができる。糊塗布領域が変われば、被着体への貼付位置を変えることができ、被着体におけるラベルの表示位置の自由度が大きくなる。
このように、本願発明の宣伝ラベルは、従来の宣伝ラベルに比して被着体等の宣伝効果をより増長させるものである。
また、ラベルピッチ当たりの宣伝ラベルフォームに、宣伝ラベルを複数形成することができるので、宣伝ラベルの生産効率を向上することができる。
【発明を実施するための最良の形態】
【００１０】
本発明の実施の形態に係る宣伝ラベルを図１及び図２に基づき説明する。
本発明の宣伝ラベル１０は、立体的に被着体Ｍに貼付できる宣伝効果に優れたラベルである。
図１（Ａ）に示すように、宣伝ラベル１０は、印字部１１と、接着部１２と、貼付部１３とを備えた構成とする。
【００１１】
印字部１１は、長尺状であれば形は限定されない。図１（Ａ）には長方形状の印字部１１を示したが周囲の形状は波状やのこぎり状等所望の表現ができる。印字部１１の材質は、感熱印字には感熱媒体、磁気印字には磁気媒体、インクジェット印字にはインクジェット媒体等、印字方法に応じて選択することができる。
【００１２】
接着部１２は、印字部１１の長手方向の一端１１ａ（印字部１１の延長領域）に糊塗布域を設けて形成する。糊塗布域は、印字部１１の印字面の裏面に形成され、糊塗布域を印字部１１の他端１１ｂに接着することにより、図１（Ｂ）に示す円周形状を形成することができる。糊は、印字部１１の印字面に接着できるものであればよく接着方式（物理的接着、化学的接着）の如何は問わない。
【００１３】
貼付部１３は、印字部１１の長手方向側部（印字部１１の延長領域）に糊塗布域を設けて形成する。図１には、貼付部１３を一方の側部に１箇所設けた宣伝ラベル１０を示したが、貼付部１３は長手方向側部の一方、他方、双方に複数箇所設けることができる。貼付部１３の形状は、ここでは長方形状としたが限定されず、三角形状やＬ字形状等自由な形状にすることができる。
糊塗布域は、接着部１２と同様に印字部１１の印字面の裏面に形成され、被着体に貼付するため用いられる。図１においては、貼付部１３全域に糊塗布域を設けたが、一部域に設けてもよい。糊は、接着部１２に用いたものと同じものを用いるのが宣伝ラベルの製造上好ましいが、貼付箇所の性状に応じて貼付しやすいものを選択できる。
【００１４】
図２には、宣伝ラベル１０を被着体Ｍへ貼付した状態を示す。
図２（Ａ）は、宣伝ラベル１０が円柱形状の被着体Ｍの上部に貼付された状態を示す。
宣伝ラベル１０は、貼付部１３の側端を被着体Ｍの周面上部に貼付することにより、円周形状の印字部１１を被着体Ｍの上方へ離間するように位置されている。
被着体Ｍの上方へ離間させるような宣伝ラベル１０の表示は、被着体Ｍの周面に表示された情報を視認させ、かつ宣伝ラベル１０の印字部１１の印字情報も視認させることができる。
【００１５】
一方、図２（Ｂ）は、宣伝ラベル１０が円柱形状の被着体Ｍを囲うように貼付された状態を示す。宣伝ラベル１０は、貼付部１３を被着体Ｍの周面中央に貼付することにより、円周形状の印字部１１を被着体Ｍの周面を囲うようにして位置されている。ここで、貼付部１３全面に糊が塗布されていることから、貼付部１３全体を被着体Ｍに貼付することにより、印字部１１の一部を被着体Ｍの周面に接触させた状態にすることができる。また、貼付部１３全体を被着体Ｍに貼付することなく一部だけで貼付することにより、印字部１１全体を被着体Ｍの周面から離間させた状態にすることができる。
【００１６】
次に図３には、半抜き処理を施した印字部１１を備える宣伝ラベル１４を示す。
宣伝ラベル１４は、半抜き処理を施したこと以外は図１と同様に構成されている。図３（Ａ）に示すように、半抜き部１５は、印字部１１に所定の開いた形状（ここでは、矢印形状）のダイカットを行なうことで形成される。半抜き部１５は、印字部１１を円周形状にすることにより、図３（Ｂ）と図３（Ｃ）に示すように円周外部に突出する。半抜き部１５の形状は、印字部１１を円周形状にすることによって突出できる開いた形状であればよく、印字部の印字情報と相乗効果により宣伝効果を高めるものが好ましい。
【００１７】
図４には、上述した宣伝ラベル１０を形成する宣伝ラベルフォームを示す。
宣伝ラベルフォーム２０は、ロール紙、単票用紙のどちらでも提供することができる。
図４（Ａ）には、４層からなる単票（ラベルピッチの領域）の宣伝ラベルフォーム２０を示す。宣伝ラベルフォーム２０は、上から、印字部１１の層、糊塗布の層、剥離剤の層、台紙の層とから形成されている。印字部１１の層と糊塗布の層とから宣伝ラベル１０が形成される。ここでは、図４（Ｄ）に示すように、ラベルピッチ単位に複数の宣伝ラベルを形成するために、宣伝ラベル１０と線対象関係にある宣伝ラベル１０＃も形成する。
宣伝ラベルフォーム２０は、宣伝ラベル１０を形成するために以下の処理が施される。
図４（Ｂ）は、宣伝ラベルフォーム２０の糊塗布の層を示す。糊塗布の層は、全面糊塗布された後に接着活性を不活にする糊殺し処理が施される。糊殺し処理は印字部１１が形成される領域２１に施される。糊殺し処理が施されない箇所には、接着活性を要する接着部１２と貼付部１３とが形成される。
【００１８】
次に宣伝ラベルフォーム２０に対しては、切り離し容易に宣伝ラベル１０の輪郭を型取るダイカット処理が施される。図４（Ｃ）は、印字部１１の層と糊塗布の層とを印字部１１の層側から透過させた図である。ダイカットは、１単票上に宣伝ラベル１０及び宣伝ラベル１０＃の輪郭２２を型取る。貼付部１３を設けていない印字部１１の長手方向側部を線対称線２３するように配置している。
図４（Ｄ）は、宣伝ラベルフォーム２０で形成される宣伝ラベル１０及び宣伝ラベル１０＃を示す。このように、宣伝ラベル１０と宣伝ラベル１０＃とは接着部１２の位置が相反する方向に位置する関係にある。
こうして、宣伝ラベルフォーム２０に形成された宣伝ラベル１０及び１０＃は、ダイカットされた輪郭２２に沿って台紙から切り離されて得られる。
このようにして、宣伝ラベルフォームの１単票から２パターンの宣伝ラベル１０及び１０＃が得られる。
【００１９】
本発明の実施の形態における宣伝ラベルの印字部には、不透明材質を用いることを想定したが、これに限定することなく透明材質も用いることができる。
印字部に透明材質を用いる場合には、印字部の面に情報を逆像印字部分と正像印字部分とを設け、正像印字部分を介して逆像印字部分を見えるようにすれば、新たな視認効果が得られる。この場合は、手前の正像印字部分の印字が行なわれていない透明部位から、奥に位置する逆像印字された印字部分を見ることになる。
【産業上の利用可能性】
【００２０】
本発明の宣伝ラベルは、被着体となる商品の宣伝に用いるだけでなく、人の注意を引かせる際に有効に作用する。例えば、イベント等の径路案内表示として用いることもできる。
【図面の簡単な説明】
【００２１】
【図１】本発明の実施の形態に係る宣伝ラベルの説明図。
【図２】本発明の実施の形態に係る宣伝ラベルの貼付例を示す説明図。
【図３】本発明の実施の形態に係る他の宣伝ラベルの説明図。
【図４】本発明の実施の形態に係る宣伝ラベルフォームの形成過程を示す説明図。
【符号の説明】
【００２２】
１０    宣伝ラベル
１０＃  宣伝ラベル
１１    印字部
１１ａ  一端
１１ｂ  他端
１２    接着部
１３    貼付部
１４    宣伝ラベル
１５    突出部
２０    宣伝ラベルフォーム
２１    糊塗布域
２２    輪郭
２３    線対称線
Ｍ      被着体
【図１】
2010072244.tif 000003
【図２】
2010072244.tif 000004
【図３】
2010072244.tif 000005
【図４】
2010072244.tif 000006